(57)【要約】【課題】複数の帯域にまたがるキャリア周波数を有する通信方式や、チャネル番号が不連続に付されている場合でもチャネル番号の設定を簡易にし、かつ、測定手順に従い一連の測定項目を自動測定する評価装置において測定手順設定を簡易にする。【解決手段】連続したチャネル番号と、該チャネル番号に対応し、かつ、該チャネル番号の増分値に比例して一定の周波数間隔で増分する周波数値とから構成されるチャネルグループ４０を複数グループ記憶したテーブル２と、測定の順序を前記チャネルグループによって記述した測定手順を記憶する測定手順格納手段３と、前記測定手順を読み取り、前記テーブルを参照して、前記記述されたチャネルグループに応じた周波数値を算出する制御手段４と、算出された周波数値に応じて動作する制御対象７とを備える。【選択図】       図１
2005311642.tif 000002
【特許請求の範囲】
【請求項１】
連続したチャネル番号と、該チャネル番号に対応し、かつ、該チャネル番号の増分値に比例して一定の周波数間隔で増分する周波数値とから構成されるチャネルグループ（４０）を複数グループ記憶したテーブル（２）と、
測定の順序を前記チャネルグループによって記述した測定手順（４１）を1つ以上記憶する測定手順格納手段（３）と、
前記測定手順を読み取り、前記テーブルを参照して、前記記述されたチャネルグループに応じた周波数値を算出する制御手段（４）と、
前記算出された周波数値に応じて動作する制御対象（７）とを備えたことを特徴とする測定装置。
【請求項２】
前記チャネル番号の先頭値である開始チャネル番号と、終了値である終了チャネル番号と、該開始チャネル番号に対応する開始周波数と、前記周波数間隔とを設定し、前記テーブルに記憶されたチャネルグループの構成値を変更するチャネルグループ設定手段（５）を備えたことを特徴とする請求項１記載の測定装置。
【請求項３】
請求項1又は２記載の測定装置は信号発生装置であり、前記制御対象は前記制御手段で算出された周波数値の測定用信号を出力する信号発生手段であることを特徴とする信号発生装置。
【請求項４】
請求項1又は２記載の測定装置は特性測定装置であり、前記制御対象は前記制御手段で算出された周波数値の測定用信号を解析する特性測定手段であることを特徴とする特性測定装置。
【請求項５】
測定用信号を被測定対象に出力する信号発生装置（２３）と、該測定用信号の供給に基づく特性を測定する特性測定装置（２４）とを用いて被測定対象の特性を測定する測定システム（２２）において、
１つの手順を実行するたびに前記特性測定装置に対して次の手順の実行要求を示すトリガをトリガ用インターフェイス（２９ａ）を介して送出し、該トリガの入力に基づき相互に1つの手順の実行を繰返させる同期手段（３０ａ）を備えた請求項３記載の信号発生装置と、
前記信号発生装置からのトリガを受信し、１つの手順を実行するたびに前記信号発生装置に対して次の手順の実行要求を示すトリガをトリガ用インターフェイス（２９ｂ）を介して送出し、該トリガの入力に基づき相互に１つの手順の実行を繰返させる同期手段（３０ｂ）を備えた請求項4記載の特性測定装置とから構成され、
前記信号発生装置と前記特性測定装置は、それぞれが有する前記テーブルに同一内容のチャネルグループを記憶し、かつ、それぞれが有する測定手順測定手段に同一内容の測定手順を記憶していることを特徴とする測定システム。
【発明の詳細な説明】
【技術分野】
【０００１】
本発明は、測定手順に従い一連の測定項目を自動測定する測定装置において、測定手順設定を簡易にする技術に関する。
【背景技術】
【０００２】
ＰＤＣ、ＰＨＳ等の通信方式においては、キャリア周波数の識別を簡便にするために各キャリア周波数に対応した一定のチャネル番号が付与され規格化されている。
キャリア周波数間隔は一定間隔であり、また、チャネル番号は基本的にキャリア周波数の増分値に比例した連番が付与される。
例えば、第2世代コードレス電話システムの規格であるＲＣＲ ＳＴＤ−２８（図７）では、１．８Ｇｈｚ帯において３００ｋＨｚ間隔でキャリア周波数が定められ、それぞれのキャリア周波数にキャリア番号（チャネル番号）が付与されている。そして、通信の用途別に周波数帯及びそれに対応したキャリア番号群が割り当てられており、例えば、1884.650MHz 〜1893.350MHzには屋外公衆用通信用として300kHz間隔でキャリア番号221から250までの30のチャネル番号が、また、1893.650MHz 〜1894.850MHzには自営用又は屋外公衆用共用通信用として300kHz間隔でキャリア番号251から255までの5のキャリア番号が割り当てられている（非特許文献１参照。）。
【０００３】
各種試験を行なう際には、このようなキャリア周波数に対応したチャネル番号（キャリア番号）を測定器やシステムをコントロールする制御用ＰＣに予め記憶させておくことで、キャリア周波数を覚えることを必要とせずに、チャネル番号を指定するだけで各種の試験ができる。
周波数帯又はキャリア周波数間隔が異なる他の通信システムで各種試験を行なうときには、通信システムに応じてチャネル番号とキャリア周波数等の各パラメータを再設定すればよい。
【０００４】
通信システムに応じてチャネル番号を再設定する際には、チャネル番号の先頭番号ＣＨｓと、先頭番号に対応したキャリア周波数ｆｓと、周波数間隔Δｆのみを初期設定値として設定する。計測器本体又は制御用ＰＣにこれら3つのパラメータを記憶するだけで良い。任意のキャリア番号ＣＨｎに対応するキャリア周波数ｆｎは、ｆｎ＝ｆｓ＋Δｆ×（ＣＨｎ−ＣＨｓ）で算出される。
【非特許文献１】「第二世代コードレス電話システム標準規格書 ＲＣＲ ＳＴＤ−２８ ４．０版（１／２）」５０頁〜５１頁 （社団法人電波産業会 発行）
【発明の開示】
【発明が解決しようとする課題】
【０００５】
しかしながら、異なる通信帯域を利用する通信システム、例えば、ＰＤＣのように800MHz帯と1.5GHz帯を利用する通信システムに対して試験を行なう場合、通信帯域が断続しているので連続した帯域に対してのみ有効な上記記載のキャリア番号設定方法は使用できない。
また、ＰＤＣ方式とＰＨＳ方式の２つの通信方式に対応したデュアル端末と呼ばれる端末機器に対してはチャネル番号が重複するので、同時にそれぞれのチャネル番号を設定できず、連続して両方式の試験を行なうことが出来ない。
さらに、ＧＳＭ方式ではチャネル番号に国ごとに異なるキャリア周波数が付されている。この場合、複数の国に対応した試験を行なうためには、1つの国の試験が終了するたびにチャネル番号を設定しなければならず煩雑である。
さらに、ＲＣＲ ＳＴＤ−２８（第2世代コードレス電話システム）で規定されるチャネル番号の付番は完全に連続に付番されていない。例えば、図７によると、チャネル番号255の後にチャネル番号1が付番されている。
【０００６】
このようにチャネル番号の付番に不連続な箇所があると、上述した3つのパラメータＣＨｓ、ｆｓ、Δｆのみ記憶するだけでは、任意のチャネル番号ＣＨｎに対応したキャリア周波数を算出することができない。
【０００７】
本発明はこのような事情に鑑みてなされたものであり、複数の帯域にまたがるキャリア周波数を有する通信方式や、チャネル番号が不連続に付されている場合でもチャネル番号の設定を簡易にし、かつ、測定手順に従い一連の測定項目を自動測定する評価装置において測定手順設定を簡易にすることを目的とする。
【課題を解決するための手段】
【０００８】
上記目的を達成するため、本発明に記載された請求項１の測定装置は、連続したチャネル番号と、該チャネル番号に対応し、かつ、該チャネル番号の増分値に比例して一定の周波数間隔で増分する周波数値とから構成されるチャネルグループ（４０）を複数グループ記憶したテーブル（２）と、測定の順序を前記チャネルグループによって記述した測定手順（４１）を1つ以上記憶する測定手順格納手段（３）と、前記測定手順を読み取り、前記テーブルを参照して、前記記述されたチャネルグループに応じた周波数値を算出する制御手段（４）と、算出された周波数値に応じて動作する制御対象（７）とを備えたことを特徴とする。
【０００９】
請求項2の測定装置は、請求項１記載の測定装置において、前記チャネル番号の先頭値である開始チャネル番号と、終了値である終了チャネル番号と、該開始チャネル番号に対応する開始周波数と、前記周波数間隔とを設定し、前記テーブルに記憶されたチャネルグループの構成値を変更するチャネルグループ設定手段（５）を備えたことを特徴とする。
【００１０】
請求項3記載の測定装置は、請求項1又は２記載の測定装置において、前記制御対象は前記制御手段で算出された周波数値の測定用信号を出力する信号発生手段であることを特徴とする。
【００１１】
請求項４記載の測定装置は、請求項1又は２記載の測定装置において、前記制御対象は前記制御手段で算出された周波数値の測定用信号を解析する特性測定手段であることを特徴とする。
【００１２】
請求項５記載の測定システムは、測定用信号を被測定対象に出力する信号発生装置（２３）と、該測定用信号の供給に基づく特性を測定する特性測定装置（２４）とを用いて被測定対象の特性を測定する測定システム（２２）において、
１つの手順を実行するたびに前記特性測定装置に対して次の手順の実行要求を示すトリガをトリガ用インターフェイス（２９ａ）を介して送出し、該トリガの入力に基づき相互に1つの手順の実行を繰返させる同期手段（３０a）を備えた請求項３記載の信号発生装置と、
前記信号発生装置からのトリガを受信し、１つの手順を実行するたびに前記信号発生装置に対して次の手順の実行要求を示すトリガをトリガ用インターフェイス（２９ｂ）を介して送出し、該トリガの入力に基づき相互に１つの手順の実行を繰返させる同期手段（３０ｂ）を備えた請求項4記載の特性測定装置とから構成され、
前記信号発生装置と前記特性測定装置は、それぞれが有する前記テーブルに同一内容のチャネルグループを記憶し、かつ、それぞれが有する測定手順測定手段に同一内容の測定手順を記憶していることを特徴とする。
【発明の効果】
【００１３】
請求項１の発明では、連続したチャネル番号と、該チャネル番号に対応し、かつ、該チャネル番号の増分値に比例して一定の周波数間隔で増分する周波数値とから構成されるチャネル群をチャネルグループとしてグループ分けすることで、チャネル番号がキャリア周波数に対して断続的であっても、或いは、複数の通信システムにおいてチャネル番号が重複していても、チャネルグループ単位で設定、変更ができ扱いが容易になる。
また、測定手順をチャネルグループで記述することで、測定手順の設定、変更が容易になる。
【００１４】
請求項２の発明では、チャネル番号の先頭値である開始チャネル番号と、終了値である終了チャネル番号と、該開始チャネル番号に対応する開始周波数と、前記周波数間隔とを設定するだけで、チャネルグループの内容を容易に変更できる。
【００１５】
請求項５の発明では、信号発生装置及び特性発生装置が互いにチャネルグループ及び測定手順を共有し、トリガによって測定ステップを繰返すので、測定条件の設定変更が容易で、かつ、高速測定が可能な測定システムが実現できる。
【発明を実施するための最良の形態】
【００１６】
（第１の実施形態）図１は、本発明の測定装置の構成例を示す図である。以下、ＰＨＳシステム（第2世代コードレス電話システム）を例に本発明の第１の実施形態について説明する。
【００１７】
図７は、ＰＨＳシステム（第2世代コードレス電話システム）のキャリア番号（チャネル番号）とキャリア周波数の規格表である。キャリア番号221から255までは1884.650 ＭＨｚから1894.850ＭＨｚまで300ｋＨｚ間隔でのキャリア周波数が、キャリア番号1から82までは1895.150 ＭＨｚから1919.450ＭＨｚまで300ｋＨｚ間隔でキャリア周波数が割りられている。さらに、例えば、1884.650 ＭＨｚから1893.350ＭＨｚまでは屋外公衆用通信用に、1893.650 ＭＨｚから1894.850ＭＨｚまでは自営用又は屋外公衆用共用通信用に、用途別にキャリア番号が割り当てられている。
【００１８】
このように連続したチャネル番号が割り当てられた周波数帯を1つのチャネルグループ４０として複数グループがテーブル２に記憶される。例えば、キャリア番号２２１から２５５を一のチャネルグループ４０ａに設定し、キャリア番号１から８２番を一のチャネルグループ４０ｂに設定する。または、「屋外公衆用通信用」のキャリア番号２２１〜２５０を一のチャネルグループ４０ａに、「自営用又は屋外公衆用共用通信用」のキャリア番号２５１〜２５５を一のチャネルグループ４０ｂにというように、用途別に分けてグループ設定することも可能である。
【００１９】
各々のチャネルグループ４０は、グループ名、グループの先頭チャネル番号であるスタート番号ＣＨｓ、終了番号であるエンド番号ＣＨｅ、スタート番号に対応するキャリア周波数であるスタート周波数ｆｓ、キャリア周波数間隔であるスパンΔｆをパラメータとして有する。
【００２０】
各チャネルグループのパラメータは、本実施例では、測定器内部に備えたチャネルグループ設定手段５で設定しテーブル２に記憶されるが、別途ＰＣ上で作成した後にＦＤ等の電子媒体やインターネットを介して外部からダウンロードすることも可能である。
【００２１】
測定手順格納手段３には、上述のチャネルグループで記述された測定手順６が記憶される。
【００２２】
測定実行時には、制御手段４が測定手順格納手段３から測定手順４１に記述されたチャネルグループを記述順に読込み、テーブル２を参照して読み込まれたチャネルグループに対応する周波数値を算出し、制御対象７の周波数を設定する。ここで、制御対象は、信号発生部、周波数分析部などが相当し、信号発生器であれば発振周波数が、周波数分析器であれば測定周波数が制御手段の指示を受けて各々設定される。
【００２３】
次に、制御手段の内部動作を図２で詳説する。図２は測定手順６で指定されたチャネルグループに従って行なう測定を説明するための流れ図である。
制御手段４はテーブル２に記憶されたチャネルグループ４０を参照して、測定手順で指示されたチャネルグループの初期パラメータを設定する。チャネル番号ＣＨには当該チャネルグループの先頭番号ＣＨｓを、測定周波数ｆには先頭周波数ｆｓを初期パラメータとして設定する（Ｓｔｅｐ１）。制御手段は制御対象７に測定周波数ｆを指定し、制御対象は測定周波数ｆにおいて動作する（Ｓｔｅｐ２）。チャネル番号ＣＨがの終了番号ＣＨｅであれば当該チャネルグループにおける測定は終了し（Ｓｔｅｐ３）、終了番号でなければチャネル番号ＣＨを1カウントアップする（ＣＨ＝ＣＨ＋１）と共に設定周波数ｆを周波数間隔Δｆ分増加する（ｆ＝ｆ＋Δｆ）。以下、Ｓｔｅｐ２〜４を繰返す。
【００２４】
尚、図示はしていないが、ステップ４からステップ２への移行は、外部からの測定終了のトリガを受けて移行する方法、或いは、タイマから一定時間経過後にトリガを受けて移行する方法、パネルキーなどによりユーザが直接操作して移行する方法がある。
【００２５】
次に、チャネルグループの設定方法を図３で説明する。図３はチャネルグループのパラメータを設定する設定画面の一例である。設定画面は表示部９に表示される。尚、以下の説明において、画面上の設定項目選択や数値入力の方法は、キーボードによる方法、マウス操作による方法、エンコーダノブ操作による方法、タッチパネルによる方法などが考えられるが本発明では特定せず具体的方法は省くこととする。
【００２６】
設定画面上では複数のチャネルグループのパラメータが設定可能である。それぞれのチャネルグループ毎にグループ名（Ｇｒｏｕｐ）１３、グループの先頭チャネル番号であるスタート番号（Ｓｔａｒｔ ＣＨ）１４、終了番号であるエンド番号（Ｅｎｄ ＣＨ）１５、スタート番号に対応するキャリア周波数であるスタート周波数（Ｓｔａｒｔ ｆｒｅｑｕｅｎｃｙ）１６、キャリア周波数間隔であるスパン（Ｓｐａｎ）１７が設定される。
任意のチャネルグループのパラメータを設定するためにはパラメータ設定領域１８の当該チャネルグループの欄を選択することで設定可能になる。
【００２７】
画面右側に並ぶ機能キー１９には、パラメータをすべてクリアする「ＡＬＬ Ｃｌｅａｒ」キー１９ａ、チャネルグループを挿入する「Ｉｎｓｅｒｔ」キー１９ｂ、選択したパラメータを消去する「Ｄｅｌｅｔｅ」キー１９ｃ、作成したチャネルグループを装置内のテーブル２や外部記憶装置に保存する「Ｓａｖｅ」キー１９ｄ、逆に呼び出す「Ｒｅｃａｌｌ」キー１９ｅなどが配置される。
【００２８】
図４は、図３で示されたＧｒｏｕｐＡ及びＧｒｏｕｐＢで設定されたチャネルグループのチャネル番号と割り当てられたキャリア周波数を模式的に示した表である。ただし、テーブルに記憶されるのは図4の表の値すべてではなく、あくまで上述した設定画面で設定されるパラメータである。
なお、複数のチャネルグループを設定するに際し、チャネルグループ間でチャネル番号、周波数等が重複することを妨げるものではない。
【００２９】
（第２の実施形態）図５及び図６は、本発明の測定システム２２の構成例を示す図である。装置は、信号発生器２３と、特性測定装置２４によって構成されている。評価対象１１は信号ケーブルを介して信号発生器２３及び特性測定装置２４にそれぞれ電気的に接続される。
【００３０】
信号発生器２３と特性測定装置２４は、それぞれ、チャネルグループ４０を記憶するテーブル２と、チャネルグループで記述された測定手順４１を格納する測定手順格納手段３と、それぞれの制御対象である信号発生手段３１または特性測定手段３２に測定指示を出す制御手段４ａ、４ｂを有している。測定時には、信号発生装置２３と特性測定装置２４のぞれぞれに、同一内容のチャネルグループ４０と同一内容の測定手順４１を記憶する。
【００３１】
信号発生器２３と特性測定装置２４は、それぞれ、ＧＰ−ＩＢインターフェース３３ａ、３３ｂ、トリガ用インターフェース２９ａ、２９ｂ、同期手段３０ａ、３０ｂを備えている。
測定開始の前に、ＧＰ−ＩＢインターフェースを介して、テーブル２に記憶されるチャネルグループと測定手順格納手段３に記憶される測定手順を共通化する。共通化の方法としては、信号発生器２３に記憶された内容を特性測定装置２４にコピーする方法、特性測定装置２４に記憶された内容を信号発生器２３にコピーする方法、または、外部のパソコン上で作成したチャネルグループ及び測定手順を信号発生器及び特性測定装置に送信する方法がある。
【００３２】
特性測定装置２４は、測定開始の指示がされると、制御手段４が測定手順格納手段３に記憶された測定手順の先頭に記述されたチャネルグループを読み込み、テーブル２に記憶されたチャネルグループのパラメータを参照してチャネル番号に割り当てられた測定周波数を算出し特性測定手段３２に設定指示する。特性測定手段３２の設定が完了すると、同期手段３０ｂはトリガ用インターフェース２９ｂを介してトリガ（信号発生要求トリガ）を信号発生装置２３に対して発生する。
【００３３】
信号発生装置２３もトリガ用インターフェース同期手段２９ａを備えており、特性測定装置２４からのトリガに基づき、上述した特性測定装置２４と同じ手順で制御手段４ａは測定手順に記述された最初のチャネルグループのスタート番号に対応する周波数を算出して信号発生手段３１に設定指示をし、指示を受けた信号発生手段３１は当該周波数の測定信号を発生する。信号発生手段３１の設定が完了すると、同期手段３０ａはトリガ用インターフェース２９ａを介してトリガ（設定完了済みトリガ）を発生する。
【００３４】
この後、特性測定装置からトリガ（信号発生要求トリガ）を受信する毎に、次のチャネル番号に相当する周波数を発生し、或いは、チャネルグループの全てのチャネル番号の出力が完了したときは測定手順に記述の次のステップのチャネルグループを読み込んで測定信号を出力することを繰返す。
【００３５】
特性評価装置２４は、トリガ（設定完了済みトリガ）を受けて設定した周波数における信号レベル等を測定する。測定が完了すると、次のチャネル番号に対応する周波数に特性測定手段３２の設定を変更して、トリガ（信号発生要求トリガ）を信号発生装置２３に対して発生する。以下、測定手順４１が完了するまで測定を繰返す。
【００３６】
このように、トリガのみの送受信で設定変更および特性測定が自動測定させることができ、高速測定が可能となる。特に、本発明ではチャネルグループのパラメータを容易に変更でき、かつ、測定手順もチャネルグループで簡易に記述されるので、全体として、設定の変更が容易で高速測定が可能な測定システムが実現される。
【図面の簡単な説明】
【００３７】
【図１】本発明の概略構成を示すブロック図
【図２】本発明による測定動作の流れを示す図
【図３】パラメータ設定画面を示す図
【図４】チャネル番号と周波数の設定状態を示す図
【図５】本発明の第２の実施形態に係る測定システムを示す図
【図６】本発明の第２の実施形態に係る測定システムを示す図
【図７】ＲＣＲ ＳＴＤ−２８におけるキャリア番号の割当てを示す図
【符号の説明】
【００３８】
１…測定装置、２…テーブル、３…測定手順格納手段、４…制御手段、５チャネルグループ設定手段、６…測定手順、７…制御対象、８…表示制御部、９…表示部、１０…操作部、１１…評価対象、１２…パラメータ設定画面、１３、１４、１５、１６、１７、１８…パラメータ設定項目、１８…パラメータ設定領域、１９…機能キー、２３…信号発生装置、２４…特性測定装置、２５…制御パソコン、２９…トリガインターフェース、３０…同期手段、３１…信号発生手段、３２…特性測定手段、３３…ＧＰ−ＩＢインターフェース。
【図１】
2005311642.tif 000003
【図２】
2005311642.tif 000004
【図３】
2005311642.tif 000005
【図４】
2005311642.tif 000006
【図５】
2005311642.tif 000007
【図６】
2005311642.tif 000008
【図７】
2005311642.tif 000009